(57)【要約】映像コンテンツ表示装置は、映像コンテンツとアプリケーション画面を表示する表示部と、前記表示部のアスペクト比と、前記映像コンテンツのアスペクト比とが異なる場合に、アスペクト比を保ったまま前記映像コンテンツを全画面表示した際に生じる余白部分にアプリケーション画面を表示するように、所定の規則に従って、表示レイアウトを決定する表示レイアウト決定部とを備える。
2014208268.tif 000002
【特許請求の範囲】
【請求項１】
映像コンテンツとアプリケーション画面を表示する表示部と、
前記表示部のアスペクト比と、前記映像コンテンツのアスペクト比とが異なる場合に、アスペクト比を保ったまま前記映像コンテンツを全画面表示した際に生じる余白部分に前記アプリケーション画面を表示するように、所定の規則に従って、表示レイアウトを決定する表示レイアウト決定部と、
を備える映像コンテンツ表示装置。
【請求項２】
前記所定の規則とは、前記アプリケーション画面のサイズが前記余白部分に収まる場合のみ、該アプリケーション画面を前記余白部分に表示し、そうでない場合には、該アプリケーション画面を指定された位置に表示するように表示レイアウトを決定する規則であることを特徴とする請求項１に記載の映像コンテンツ表示装置。
【請求項３】
前記所定の規則とは、前記アプリケーション画面のサイズが前記余白部分に収まる場合は、該アプリケーション画面をそのままのサイズで前記余白部分に表示し、そうでない場合には、該アプリケーション画面が前記余白部分に収まるように縮小して前記余白部分に表示するように表示レイアウトを決定する規則であることを特徴とする請求項１に記載の映像コンテンツ表示装置。
【請求項４】
前記表示レイアウトを決定する際の条件の情報を解析する表示制御情報解析部をさらに備えることを特徴とする請求項１に記載の映像コンテンツ表示装置。
【請求項５】
前記表示レイアウトを決定する際の条件の情報とは、前記アプリケーション画面を前記余白部分に移動することが可能か否かを示す情報、縮小表示することが可能か否かを示す情報、又は、許容する縮小のサイズを示す情報のうち、少なくともいずれか１つを含むことを特徴とする請求項４に記載の映像コンテンツ表示装置。
【請求項６】
表示部に映像コンテンツ及びアプリケーション画面を表示する映像コンテンツ表示方法であって、
前記表示部に前記映像コンテンツを表示する工程と、
前記表示部における前記映像コンテンツが表示されていない余白部分のサイズを算出する工程と、
前記アプリケーション画面の表示位置、前記アプリケーション画面の表示サイズ及び前記余白部分を解析し、表示レイアウトを決定する工程と、
前記表示レイアウトに従って前記アプリケーション画面を前記表示部に表示する工程と、を含むことを特徴とする映像コンテンツ表示方法。
【発明の詳細な説明】
【技術分野】
【０００１】
本発明は、映像コンテンツとアプリケーション画面を表示する装置に関する。
【背景技術】
【０００２】
映像や音声をデジタルデータとして圧縮し、多重して放送するデジタル放送が実用化されて久しい。近年では、放送番組を見ながら、番組や出演者に関する情報を提示するアプリケーションや、ＳＮＳ（Ｓｏｃｉａｌ  Ｎｅｔｗｏｒｋｉｎｇ  Ｓｅｒｖｉｃｅ）と連携して番組に関係する情報を遠隔地の人とやりとりするアプリケーションを放送と同じ画面に表示する取り組みが行われている。【０００３】
インターネット上には様々なアプリケーションが存在するが、それらはＨＴＭＬ（ＨｙｐｅｒＴｅｘｔ  Ｍａｒｋｕｐ  Ｌａｎｇｕａｇｅ）との言語で記載されていることが多いため、放送映像とともに表示するアプリケーションもＨＴＭＬで記述されたアプリケーションである事が望まれる。【０００４】
ところで、放送映像を受信機の画面いっぱいに表示したままでアプリケーション画面を同じ画面に表示するには、放送映像にアプリケーション画面を重畳して表示せざるを得ないため、放送局側では、放送映像のどこに重畳すると、もっとも良い視聴が行われるのかとの観点から、アプリケーション画面を表示する場所を指定している。【０００５】
現在のデジタル放送は、１６：９のアスペクト比の映像コンテンツが放送され、受信機も１６：９のアスペクト比の画面を有しているのが一般的である。【０００６】
ただし、１６：９以外のアスペクト比、具体的には１６：１０とか２１：９などのディスプレイも存在しており、このようなディスプレイで、放送映像のアスペクト比を保ったまま全画面表示を行うと、画面に余白部分が生じる。【０００７】
このようなディスプレイでアプリケーション画面を表示しようとした場合でも、アプリケーション画面の表示位置は、一般的な１６：９のアスペクト比の画面を想定して設定してあるため、余白部分があるにも関わらず、放送映像に重畳して表示せざるを得ない。【０００８】
そこで特許文献１では、放送映像画面の最小表示サイズが設定され、アプリケーションの表示サイズの情報を基に、放送映像画面とアプリケーション画面とが重畳しないように、受信機側で、放送映像画面の縮小サイズ及び表示位置とアプリケーション画面の表示位置を決定して表示する技術が記載されている。【０００９】
また、ＨＴＭＬでは、表示装置の環境毎に最適なスタイルシートを適用することが可能であり、例えば、１６：９のディスプレイ向けのレイアウト、１６：１０のディスプレイ向けのレイアウト、２１：９のディスプレイ向けのレイアウトを各々準備しておき、１６：１０及び２１：９のディスプレイ向けのレイアウトでは、それぞれの余白部分にアプリケーションを配置するレイアウトとしておく事で、１６：１０及び２１：９のディスプレイで余白部分にアプリケーションを表示することが可能となる。
【先行技術文献】
【特許文献】
【００１０】
【特許文献１】日本国公開特許公報「特開２０１３−００９３３４号公報」
【発明の概要】
【発明が解決しようとする課題】
【００１１】
しかしながら、特許文献１の対応の場合、放送映像が縮小されて表示されてしまうとの問題点がある。【００１２】
また、表示装置の環境毎に最適なスタイルシートを適用する対応の場合、全環境向けのレイアウトを指定するのは煩雑であり、後から出てきたアスペクト比のディスプレイに対応しきれないとの問題点がある。
【課題を解決するための手段】
【００１３】
上記課題を解決するために、本発明の第１の手段は、映像コンテンツとアプリケーション画面を表示する表示部と、前記表示部のアスペクト比と、前記映像コンテンツのアスペクト比とが異なる場合に、アスペクト比を保ったまま前記映像コンテンツを全画面表示した際に生じる余白部分に前記アプリケーション画面を表示するように、所定の規則に従って、表示レイアウトを決定する表示レイアウト決定部と、を備えることを特徴とするものである。【００１４】
第２の手段は、第１の手段において、前記所定の規則とは、前記アプリケーション画面のサイズが前記余白部分に収まる場合のみ、該アプリケーション画面を前記余白部分に表示し、そうでない場合には、該アプリケーション画面を指定された位置に表示するように表示レイアウトを決定する規則であることを特徴とするものである。【００１５】
第３の手段は、第１の手段において、前記所定の規則とは、前記アプリケーション画面のサイズが前記余白部分に収まる場合は、該アプリケーション画面をそのままのサイズで前記余白部分に表示し、そうでない場合には、該アプリケーション画面が前記余白部分に収まるように縮小して前記余白部分に表示するように表示レイアウトを決定する規則であることを特徴とするものである。【００１６】
第４の手段は、第１の手段において、前記表示レイアウトを決定する際の条件の情報を解析する表示制御情報解析部をさらに備えることを特徴とするものである。【００１７】
第５の手段は、第４の手段において、前記表示レイアウトを決定する際の条件の情報とは、前記アプリケーション画面を前記余白部分に移動することが可能か否かを示す情報、縮小表示することが可能か否かを示す情報、又は、許容する縮小のサイズを示す情報のうち、少なくともいずれか１つを含むことを特徴とするものである。【００１８】
第６の手段は、表示部に映像コンテンツ及びアプリケーション画面を表示する映像コンテンツ表示方法であって、前記表示部に前記映像コンテンツを表示する工程と、前記表示部における前記映像コンテンツが表示されていない余白部分のサイズを算出する工程と、前記アプリケーション画面の表示位置、前記アプリケーション画面の表示サイズ及び前記余白部分を解析し、表示レイアウトを決定する工程と、前記表示レイアウトに従って前記アプリケーション画面を前記表示部に表示する工程と、を含むことを特徴とするものである。
【発明の効果】
【００１９】
本発明によれば、１６：９以外のアスペクト比のディスプレイで、放送映像が縮小されずに、かつ、アプリケーション画面が放送映像に重畳されなくなり、放送が見やすくなるという効果を奏する。
【図面の簡単な説明】
【００２０】
【図１】本発明の第１の実施の形態に係る映像コンテンツ表示装置の一例の概略構成を示すブロック図である。
【図２】本発明の映像コンテンツ表示装置における表示レイアウトを決定する第１の規則に従った処理の流れを示すフローチャートである。
【図３】１６：９のアスペクト比のディスプレイで、１６：９のアスペクト比の映像コンテンツとアプリケーションを表示している図である。
【図４】１６：１０のアスペクト比のディスプレイで、１６：９のアスペクト比の映像コンテンツとアプリケーションを表示している図である。
【図５】２１：９のアスペクト比のディスプレイで、１６：９のアスペクト比の映像コンテンツとアプリケーションを表示している図である。
【図６】２１：９のアスペクト比のディスプレイで、１６：９のアスペクト比の映像コンテンツとアプリケーションを表示している別の図である。
【図７】本発明の映像コンテンツ表示装置における表示レイアウトを決定する第２の規則に従った処理の流れを示すフローチャートである。
【図８】１６：９のアスペクト比のディスプレイで、１６：９のアスペクト比の映像コンテンツとアプリケーションを表示している図である。
【図９】１６：１０のアスペクト比のディスプレイで、１６：９のアスペクト比の映像コンテンツとアプリケーションを表示している図である。
【図１０】１６：１０のアスペクト比のディスプレイで、１６：９のアスペクト比の映像コンテンツとアプリケーションを表示している図である。
【図１１】本発明の映像コンテンツ表示装置における表示レイアウトを決定する第３の規則に従った処理の流れを示すフローチャートである。
【図１２】１６：１０のアスペクト比のディスプレイで、１６：９のアスペクト比の映像コンテンツとアプリケーションを表示している図である。
【図１３】１６：９のアスペクト比のディスプレイで、１６：９のアスペクト比の映像コンテンツとアプリケーションを表示している図である。
【図１４】１６：１０のアスペクト比のディスプレイで、１６：９のアスペクト比の映像コンテンツとアプリケーションを表示している図である。
【図１５】１６：１０のアスペクト比のディスプレイで、１６：９のアスペクト比の映像コンテンツとアプリケーションを表示している図である。
【図１６】１６：１０のアスペクト比のディスプレイで、１６：９のアスペクト比の映像コンテンツとアプリケーションを表示している図である。
【図１７】本発明の第３の実施の形態に係る映像コンテンツ表示装置の一例の概略構成を示すブロック図である。
【図１８】本発明の映像コンテンツ表示装置における表示制御情報に従って表示レイアウトを決定する際の処理の流れを示すフローチャートである。
【図１９】本発明の映像コンテンツ表示装置における別の表示制御情報に従って表示レイアウトを決定する際の処理の流れを示すフローチャートである。
【図２０】本発明の第４の実施の形態に係る映像コンテンツ装置の一例の概略構成を示すブロック図である。
【発明を実施するための形態】
【００２１】
以下、図面を参照して、本発明の各実施形態について説明する。
【００２２】
〔実施の形態１〕
図１は、本発明の第１の実施の形態に係る映像コンテンツ表示装置の一例の概略構成を示すブロック図である。
【００２３】
同図に示すように、映像コンテンツ表示装置１００１は、制御部１０１、映像コンテンツ受信部１０２、アプリケーション取得部１０３、アプリケーション情報解析部１０４、表示レイアウト決定部１０５、表示部１０６を備えた構成となっている。
【００２４】
制御部１０１は、映像コンテンツ表示装置１００１の全体を制御するための機能部である。
【００２５】
映像コンテンツ受信部１０２は、図示しないデジタル放送チューナや通信ネットワークやコンテンツが格納された記録メディアに接続し、映像データが含まれたコンテンツを受信して映像データを取得する部分である。一般的に映像データは符号化されているため、そのデコードもこの部分で行う。
【００２６】
また、番組に関連するアプリケーションを実現するために、アプリケーションに関する情報（アプリケーションの開始／終了の情報や、アプリケーションを配信しているサーバなどの情報。以下、アプリケーション制御情報と呼ぶ）を放送映像に多重して配信することが必要となるため、その情報の抽出もこの部分で行う。
【００２７】
アプリケーション取得部１０３は、図示しない通信ネットワークに接続し、映像コンテンツ表示装置１００１で動作させるアプリケーションを取得する部分である。アプリケーションを取得する先の情報は、前述のアプリケーション制御情報から取得しても良いし、表示装置内で取得先の情報をあらかじめリスト化して所有しており、そこから選択しても良いし、ユーザが取得先のアドレスを直接入力する方法で取得しても良い。また、動作させるアプリケーションは、映像コンテンツ受信部１０２が受信する映像データが含まれたコンテンツに多重されていて、そこから抽出する構成であってもよい。
【００２８】
アプリケーション情報解析部１０４は、アプリケーション取得部１０３で取得したアプリケーションに関する情報を解析する部分である。この情報には、アプリケーション画面の表示位置や表示サイズも含まれる。これらはアプリケーション自体に含まれている場合もあれば、前述のアプリケーション制御情報に含まれている場合もある。
【００２９】
表示レイアウト決定部１０５は、映像コンテンツ受信部１０２で受信した映像及びアプリケーション取得部１０３で取得したアプリケーションの画面レイアウトを決定する部分であり、具体的には、所定の規則に従って、映像表示画面の表示位置と表示サイズ及びアプリケーション画面の表示位置及び表示サイズを決定する部分である。
【００３０】
表示部１０６は、表示レイアウト決定部１０５で決定した映像表示画面及びアプリケーション画面のレイアウトに応じて、画面を出力する部分である。
【００３１】
本映像コンテンツ表示装置で、コンテンツを再生するためには、コンテンツ配信装置にて、映像コンテンツ及び関係するアプリケーションを生成して、映像コンテンツ表示装置に配信すれば良い。
【００３２】
また、これ以降、映像コンテンツがデジタル放送を想定した１６：９で、ディスプレイが１６：９と１６：１０と２１：９の場合についての記載を行うが、特にこのアスペクト比に限定するのではなく、映像コンテンツが標準画質テレビの４：３やデジタルシネマの２５６：１３５であってもよいし、その他のアスペクト比であってもよいし、ディスプレイのアスペクト比も４：３や５：４やその他のアスペクト比であってもよい。
【００３３】
また、スマートフォンやタブレットのように、横長に持つと横型表示を行い、縦長に持つと縦型表示を行う機器があるが、このような機器が１６：９のディスプレイを有していた際に、放送映像コンテンツを表示すると、横型表示時には、放送映像のアスペクト比を変えずに全画面表示して余白部分がなく、縦型表示時には、放送映像のアスペクト比を変えずに全画面表示して余白部分がほぼ画面の半分にわたってしまうのが通常の表示方法である。
【００３４】
このような装置に適用し、横型表示時を１６：９のディスプレイと解釈し、縦型表示時を９：１６のディスプレイと解釈して、それぞれの場合に最適なレイアウトを決定するようにしても良い。
【００３５】
また、１６：１０のディスプレイを有していた際には、横型表示時を１６：１０のディスプレイと解釈し、縦型表示時を１０：１６のディスプレイと解釈して、それぞれの場合に最適なレイアウトを決定するようにしても良い。なお、他のアスペクト比のディスプレイを有していた際でも同様に解釈すれば良い。
【００３６】
前述のように、表示レイアウト決定部１０５では、自動的にレイアウトを決定するため、所定の規則に従って映像表示画面の表示位置と表示サイズ及びアプリケーション画面の表示位置及び表示サイズを決定するが、ここでの所定の規則とはいくつかの規則が有り得るため、以降で、その規則を列挙する。
【００３７】
まず第１の規則は、映像コンテンツのアスペクト比を保ったまま全画面表示した際に、余白部分が生じるディスプレイの場合、アプリケーション画面を余白部分に移動して表示するとの規則であり、その規則に従って表示レイアウトを決定する事とする。
【００３８】
図２は、その第１の規則をフローチャートとして表した図である。
【００３９】
まず、Ｓ０１で、映像コンテンツを受信し、アスペクト比を保ったままディスプレイに全画面表示する。
【００４０】
次に、Ｓ０２に移行して、ディスプレイ上で映像コンテンツが表示されていない余白部分のサイズを算出する。
【００４１】
次に、Ｓ０３に移行して、アプリケーションを取得する。
【００４２】
次に、Ｓ０４に移行して、取得したアプリケーションの画面の表示位置と表示サイズを解析する。
【００４３】
次に、Ｓ０５に移行して、アプリケーション画面を余白部分に表示し、処理を終える。
【００４４】
アプリケーションは複数取得することがあるため、その場合は、Ｓ０３に戻って、次のアプリケーションに対する処理を行うこととなる。次のアプリケーションを余白部分に表示する際には、余白部分の中の空いている領域に表示すれば良い。
【００４５】
複数のアプリケーションを余白部分に表示する場合には、余白部分が横長だったならば、左から順に右方向に並べ、縦長だったならば、上から順に下方向に並べれば良いが、これに限らない。また、並べる際にセンタリングして表示したり、左詰めや上詰めで表示したりしても良いが、これに限らない。
【００４６】
これらのアプリケーションを並べる順番は、アプリケーションを取得した順でも良いし、アプリケーション毎に指定された表示位置の左上座標のラスタスキャン順でも良いし、並べる順番の優先度を事前に設定しておくようにしても良いし、所定の順番に並べた後に、ユーザが並べ変えるようにしても良いし、過去のユーザの並べ替えの情報を基に、並べ順を規定するようにしても良い。
【００４７】
また、複数のアプリケーションを並べると余白部分に収まらなくなる場合には、一部のアプリケーションをまず表示し、その後、ユーザの操作に応じて表示するアプリケーションを変えるようにしても良い。例えば横１列に並べ、右に移動する操作（右ボタン押しや右方向へのフリック操作や右方向へのスクロールなど）が行われると、左端に表示してあるアプリケーションを消して、順々に左にずらし、表示していなかった次のアプリケーションを右端に表示するということを次々に行う事で全てのアプリケーションを表示可能なようにしても良い。ここではユーザ操作を起点として表示するアプリケーションを変えるように記載したが、一定の時間毎に表示するアプリケーションを変えるようにしても良い。
【００４８】
もしくは、移動指示の量に応じて、スクロール表示を行って、アプリケーションが徐々に表示されるようにしても良い。
【００４９】
あるいは、複数のアプリケーションを並べて表示するのではなく、一定の時間間隔で次々に切り替えて余白部分に表示するようにしても良いし、一定の時間でなく、ユーザの操作により次々に切り替えるようにしても良いし、各々のアプリケーションで表示内容を切り替えるタイミングが発生した際に、そのアプリケーションを表示するようにしても良いし、これらを組み合わせて表示するアプリケーションを切り替えるようにしても良い。
【００５０】
また、複数のアプリケーションを並べて表示することと、複数のアプリケーションを切り替えて表示することを組み合わせて表示しても良い。すなわち、６個のアプリケーションがある場合に、まず２個のアプリケーションを表示し、次に３個のアプリケーションを表示し、最後に１個のアプリケーションを表示するように切り替えても良い。
【００５１】
また、アプリケーションを映像に重畳しても映像が見えるように、半透明の色が用いられる場合があるが、余白部分で表示する際には半透明の指定は不要であるため、そのような修飾を行わないようにしても良いし、アプリケーション画面の色の彩度や明度を上げたりするように自動補正しても良い。また、表示するアプリケーションが目立つように、余白部分の色を、アプリケーションの色と対峙する色に設定しても良い。
【００５２】
図３は、横幅が１９２０画素で、縦幅が１０８０画素の１６：９のアスペクト比のディスプレイで、１６：９のアスペクト比の映像コンテンツＣ１とアプリケーションＣ２を表示している場合の図である。
【００５３】
映像コンテンツとディスプレイのアスペクト比が同一のため、映像コンテンツを全画面表示すると、余白部分が生じない状態となる。
【００５４】
そこで、アプリケーションは指定された位置に映像コンテンツに重畳して表示されることとなる。この図は、アプリケーションの左上座標が原点付近に設定された例である。ＨＴＭＬの世界では、アプリケーション表示位置及び表示サイズは、ＣＳＳ（Ｃａｓｃａｄｉｎｇ  Ｓｔｙｌｅ  Ｓｈｅｅｔ）のｔｏｐプロパティとｌｅｆｔプロパティで左上座標が指定され、ｗｉｄｔｈプロパティとｈｅｉｇｈｔプロパティで幅と高さが指定されるのが一般的であるが、これに限らない。
【００５５】
図４は、１６：９のディスプレイで図３のように表示されるコンテンツを、横幅が１９２０画素で、縦幅が１２００画素の１６：１０のアスペクト比のディスプレイで、１６：９のアスペクト比の映像コンテンツＣ３とアプリケーションＣ４を表示している場合の図である。
【００５６】
ディスプレイのアスペクト比が映像コンテンツのアスペクト比よりも縦長のため、映像コンテンツを全画面表示すると、上下方向に余白部分が生じ、この図の例では映像コンテンツの下に、横幅が１９２０画素で、縦幅が１２０画素の余白部分Ｐ１を生じるように映像コンテンツを表示している。
【００５７】
ここで第１の規則に従うと、アプリケーション画面を余白部分に移動して表示することとなるので、アプリケーションＣ４は、余白部分Ｐ１に表示されることとなる。
【００５８】
ここではアプリケーションＣ４を余白部分Ｐ１の左側詰めで表示したが、中央詰めや右側詰めで表示してもよいし、それらを指定可能としてもよい。
【００５９】
図５は、１６：９のディスプレイで図３のように表示されるコンテンツを、横幅が２５６０画素で、縦幅が１０８０画素の２１：９のアスペクト比のディスプレイで、１６：９のアスペクト比の映像コンテンツＣ５とアプリケーションＣ６を表示している場合の図である。
【００６０】
ディスプレイのアスペクト比が映像コンテンツのアスペクト比よりも横長のため、映像コンテンツを全画面表示すると、左右方向に余白部分が生じ、この図の例では映像コンテンツの右に、横幅が６４０画素で、縦幅が１０８０画素の余白部分Ｐ２を生じるように映像コンテンツを表示している。
【００６１】
ここで第１の規則に従うと、アプリケーション画面を余白部分に移動して表示することとなるので、アプリケーションＣ６は、余白部分Ｐ２に表示されることとなる。
【００６２】
ここではアプリケーションＣ６を余白部分Ｐ２の上側詰めで表示したが、中央詰めや下側詰めで表示してもよいし、それらを指定可能としてもよい。
【００６３】
図６は、１６：９のアスペクト比のディスプレイで図３のように表示されるコンテンツを、横幅が２５６０画素で、縦幅が１０８０画素の２１：９のアスペクト比のディスプレイで、１６：９のアスペクト比の映像コンテンツＣ７とアプリケーションＣ８を表示している場合の別の例の図である。
【００６４】
図５の場合と異なり、映像コンテンツの左右に、横幅が３２０画素で、縦幅が１０８０画素の余白部分Ｐ３及びＰ４を生じるように映像コンテンツを表示している。
【００６５】
余白部分は、図５の場合のようにどちらか片方に寄っていてもよいし、図６の場合のように両側に等しい面積であってもよいし、両側に不均等に割り振った面積の余白部分であっても良い。
【００６６】
また、図６の場合に、アプリケーションＣ８を左右どちらの余白部分に表示するのかは、表示装置の設定で決めるようにしてもよいし、ユーザが指定するようにしてもよい。
【００６７】
これまで、アプリケーションを一律に余白部分に移動するように記載してきたが、一律に移動するのではなく、ユーザの指定や事前の設定などによりアプリケーション毎に余白部分に移動するか否かを指定できるようにしても良い。その指定は、番組やチャンネルや放送時間帯などの単位でアプリケーションの移動の可否を設定できるようにしても良い。
【００６８】
また、アプリケーションの種類に応じて、移動の可否や、移動先などを判定しても良い。アプリケーションの種類とは、メニューとかニュースとか天気予報とか出演者情報表示などの種類があり得る。これらの種類は、アプリケーション制御情報に含まれていても良いし、アプリケーション自体に、その情報を含めるようにしても良い。アプリケーション自体に情報を含める方法としては、アプリケーションを記述するＨＴＭＬの構文での、ｓｅｃｔｉｏｎタグやｎａｖタグやａｒｔｉｃｌｅタグなどの意味を示すタグや属性からアプリケーションの種類を判定しても良いし、独自拡張のタグや属性を利用してアプリケーションの種類を設定しても良い。
【００６９】
移動先としては、ある種類のアプリケーションを優先的に左端や上端に表示するとか、中央になるように表示するなどの判定をするようにしても良いし、１列に並べる際の並び順の優先度に利用するようにしても良い。
【００７０】
また、放送映像が全画面表示でなく、縮小されて小画面のように表示され、アプリケーションを表示する場所が放送映像と重ならない位置に指定されていた場合には、わざわざ余白部分に移動するようにしなくても良い。
【００７１】
また、余白部分に別のアプリケーションが動作している場合がある。例えば、事前に表示装置に組み込まれているチャンネル選局や映像調整を行うアプリケーションが動作していたり、表示装置内のアプリケーションと連携して、手元のタブレットなどの携帯端末上で、高機能リモコン機能を提供したり、視聴番組に関連する情報を表示したりするようなコンパニオンアプリケーションと呼ばれるアプリケーションが、携帯端末上でなく余白部分で動作していたりする場合がある。このようなアプリケーションが動作している場合には、その他のアプリケーションが余白部分の別の領域に表示できるとしても、余白部分に移動しないようにしても良い。
【００７２】
また、余白部分が放送映像表示部分の下側に存在する場合には、ある閾値の位置よりも下側に位置するアプリケーションのみを下側の余白部分に移動するようにして、閾値の位置よりも上側に位置するアプルケーションは移動せずにそのままの位置に表示するようにしても良いし、余白部分が放送映像表示部分の右側に存在する場合には、ある閾値の位置よりも右側に位置するアプリケーションのみを右側の余白部分に移動するようにして、閾値の位置よりも左側に位置するアプルケーションは移動せずにそのままの位置に表示するようにしても良い。
【００７３】
この閾値は、表示装置にて事前に決められていても良いし、ユーザにより設定できても良いし、前述のアプリケーション制御情報に含まれていても良い。
【００７４】
図８は、１６：９のアスペクト比のディスプレイで、１６：９のアスペクト比の映像コンテンツＣ９とアプリケーションＣ１０を表示している場合の図である。
【００７５】
図９は、１６：９のアスペクト比のディスプレイで図８のように表示されるコンテンツを、１６：１０のアスペクト比のディスプレイで、１６：９のアスペクト比の映像コンテンツＣ１１とアプリケーションＣ１２を表示している場合の図である。
【００７６】
図４の場合と異なり、アプリケーションＣ１２の表示サイズが、余白部分Ｐ５をはみ出す形となってしまっている。
【００７７】
第１の規則に従うと、図９のように表示されるが、このようにアプリケーション画面が余白部分と映像画面とにまたがると違和感が生じる場合があるので、第２の規則として、映像コンテンツのアスペクト比を保ったまま全画面表示した際に、余白部分が生じるディスプレイの場合、アプリケーション画面が余白部分に収まるサイズの場合に、余白部分に移動して表示するとの規則を設定し、その規則に従って表示レイアウトを決定する事とする。
【００７８】
図７は、その第２の規則をフローチャートとして表した図である。
【００７９】
Ｓ０１からＳ０４までは図２の第１の規則のフローチャートと同一の処理のため、記載を省略する。
【００８０】
Ｓ０４の次にＳ１１に移行して、アプリケーション画面の表示サイズと、余白部分のサイズとを比較し、アプリケーションが余白部分に収まるか否かの判定を行う。
【００８１】
収まると判定した場合は、Ｓ１２に移行し、アプリケーションを余白部分に表示して、処理を終了する。
【００８２】
収まらないと判定した場合は、Ｓ１３に移行し、アプリケーションを通常通りに表示し、処理を終了する。
【００８３】
アプリケーションは複数取得することがあるため、その場合は、Ｓ０３に戻って、次のアプリケーションに対する処理を行うこととなる。次のアプリケーションを余白部分に表示する際には、空いている余白部分に表示すれば良い。
【００８４】
複数のアプリケーションを余白部分に表示する場合には、余白部分が横長だったならば、左から順に右方向に並べ、縦長だったならば、上から順に下方向に並べれば良いが、これに限らない。また、並べる際にセンタリングして表示したり、左詰めや上詰めで表示したりしても良いが、これに限らない。
【００８５】
また、あるアプリケーション画面が余白部分に収まらない場合に、そのアプリケーション画面を通常通りに表示しても良いし、余白部分に表示されるアプリケーションの面積が最大になるように余白部分に表示するアプリケーションと通常通りに表示するアプリケーションを入れ替えても良い。
【００８６】
もしくは、アプリケーションに余白部分に移動する優先度を設け、優先度の高い順に余白部分に移動していき、あるアプリケーションが余白部分に収まらなくなったなら、それ以降の優先度の低いアプリケーションは余白部分に移動しないようにしても良いし、優先度が低い中で余白部分に収まるサイズのアプリケーションがあったならば、そのアプリケーションは余白部分に移動するようにしても良い。
【００８７】
図１０は、１６：９のアスペクト比のディスプレイで図８のように表示されるコンテンツを、１６：１０のアスペクト比のディスプレイで、第２の規則に従って、１６：９のアスペクト比の映像コンテンツＣ１３とアプリケーションＣ１４を表示している場合の図である。
【００８８】
この場合、アプリケーションＣ１４の表示サイズが、余白部分Ｐ６に収まらないサイズのため、アプリケーションＣ１４を余白部分Ｐ６に移動せずに、そのまま指定された位置に表示している。
【００８９】
第２の規則に従うと、図１０のように表示されるが、これでは余白部分が生かされず無駄な領域となってしまう。そこで、第３の規則として、映像コンテンツのアスペクト比を保ったまま全画面表示した際に、余白部分が生じるディスプレイの場合、アプリケーション画面が余白部分に収まるサイズの場合には、そのサイズのまま余白部分に移動して表示し、収まらないサイズの場合には、アプリケーション画面を余白部分に収まるように縮小した画面を余白部分に表示する、との規則を設定し、その規則に従って表示レイアウトを決定する事とする。
【００９０】
図１１は、その第３の規則をフローチャートとして表した図である。
【００９１】
Ｓ０１からＳ０４及びＳ１１からＳ１２までは図７の第２の規則のフローチャートと同一の処理のため、記載を省略する。
【００９２】
Ｓ１１にてアプリケーションが余白部分に収まらないと判定した場合は、Ｓ２１に移行し、アプリケーション画面を余白部分に収まるように縮小して、その画面を余白部分に表
示し、処理を終了する。
【００９３】
アプリケーションは複数取得することがあるため、その場合は、Ｓ０３に戻って、次のアプリケーションに対する処理を行うこととなる。次のアプリケーションを余白部分に表示する際には、空いている余白部分に表示すれば良い。
【００９４】
複数のアプリケーションを余白部分に表示する場合には、余白部分が横長だったならば、左から順に右方向に並べ、縦長だったならば、上から順に下方向に並べれば良いが、これに限らない。また、並べる際にセンタリングして表示したり、左詰めや上詰めで表示したりしても良いが、これに限らない。
【００９５】
また、あるアプリケーション画面が余白部分に収まらない場合に、そのアプリケーション画面のみを縮小しても良いし、すでに表示済みのアプリケーション画面全てを縮小するようにしても良い。
【００９６】
また、複数のアプリケーション画面を縮小して表示する際に、一律に同じ縮小率としても良いし、文字サイズが同じ大きさになるように縮小するようにしても良い。
【００９７】
もしくは、大きな画面サイズのアプリケーションから所定のサイズまで縮小し、それでも他のアプリケーションが余白部分に収まらない場合に、次に画面サイズのアプリケーションから所定のサイズまで縮小するとのように順々に縮小していって、全てのアプリケーションが表示できるまで縮小していくようにしても良い。
【００９８】
図１２は、１６：９のアスペクト比のディスプレイで図８のように表示されるコンテンツを、１６：１０のアスペクト比のディスプレイで、第３の規則に従って、１６：１０のアスペクト比のディスプレイで、１６：９のアスペクト比の映像コンテンツＣ１５とアプリケーションＣ１６を表示している場合の図である。
【００９９】
この場合、アプリケーションＣ１６の表示サイズが、余白部分Ｐ７に収まらないサイズのため、アプリケーションＣ１６を余白部分Ｐ７に収まるように縮小して、余白部分Ｐ７に表示している。
【０１００】
図１２では、アプリケーションＣ１６を縦横同一比率のまま縮小を行ったが、収まらない方向だけを縮小するようにしても良い。すなわち、この場合ではアプリケーションＣ１６を縦方向だけを縮小するようにしてもよい。
【０１０１】
また、アプリケーションは、通常、図形と文字で構成されるが、図形の縮小率を大きくして、文字の縮小率を小さくするようにして、文字が見難くなることを防いでも良い。
【０１０２】
また、文字については、重要な文字を残し、それ以外の文字の表示を行わない事で、必要な表示サイズを縮小するようにしても良い。重要な文字とは、見出しやタイトルのタグが設定されている文字や、フォントサイズの大きい文字や、太字などの修飾を付けて目立つようにした文字が一例としてあげられるが、これらに限らなくて良い。
【０１０３】
また、文字の表示エリアを小さくして、スクロール表示を行って全体の文字を表示するようにして必要な表示サイズを縮小するようにしても良い。
【０１０４】
また、ここで述べたような、文字のサイズ自体の縮小と、非重要な文字の非表示と、スクロール表示の中のいくつかを組み合わせて表示サイズを縮小するようにしても良い。
【０１０５】
ところで、アプリケーション画面サイズと余白部分のサイズによっては、アプリケーション画面を表示しても、余白部分が大きく余る場合がある。その場合には、アプリケーション画面を拡大して表示することで、アプリケーションを見やすくするようにしても良い。
【０１０６】
また、通常は表示しないアプリケーションの補足情報の文字列が含まれていた際に、その文字列を表示することで、余白部分を有効に活用しても良い。
【０１０７】
〔実施の形態２〕
アプリケーションの表示サイズは、一定ではなく、途中で変わる事があり得る。
【０１０８】
例えば、ユーザの操作により表示内容を変える場合や、時間によって表示内容を変える場合や、表示すべき内容が追加されたり更新されたりする場合があり得る。
【０１０９】
このような場合での表示レイアウトの変更方法を以下に記載する。
【０１１０】
図１３は、１６：９のアスペクト比のディスプレイで、１６：９のアスペクト比の映像コンテンツＣ１７とアプリケーションＣ１８ａを表示している（Ａ）の状況から、アプリケーションＣ１８ａが、アプリケーションＣ１８ｂ、Ｃ１８ｃ、Ｃ１８ｄの３つの要素で構成されるアプリケーションとなって表示サイズが変わり、（Ｂ）の状況となった場合の図である。
【０１１１】
要素とは、ＨＴＭＬの構文においてｄｉｖタグなどを用いて明示化されたかたまりであり、ｄｉｖタグに限らず、かたまりを定義できるものであれば、何でも構わない。
【０１１２】
また、図１３では、アプリケーションを構成している要素の数が変わることで表示サイズが変わったが、要素の数が変わらなくても、表示サイズが変わる事もあり得る。
【０１１３】
図１４は、１６：９のアスペクト比のディスプレイで図１３のように表示されるコンテンツを、１６：１０のアスペクト比のディスプレイで、１６：９のアスペクト比の映像コンテンツＣ１９とアプリケーションＣ２０ａを表示している（Ｃ）の状況から、アプリケーションＣ２０ａが、アプリケーションＣ２０ｂ、Ｃ２０ｃ、Ｃ２０ｄの３つの要素で構成されるアプリケーションとなって表示サイズが変わり、（Ｄ）の状況となった場合の図である。
【０１１４】
図１３のように、アプリケーションのサイズが変わり、下方向に伸ばしてしまうと、画面下方向にはみ出して見えなくなってしまうため、下方向に伸ばさずに、上方向に伸ばすことで、アプリケーションが全て表示されるようにしている。
【０１１５】
図１５は、１６：９のアスペクト比のディスプレイで図１３のように表示されるコンテンツを、１６：１０のアスペクト比のディスプレイで、１６：９のアスペクト比の映像コンテンツＣ２１とアプリケーションＣ２２ａを表示している（Ｅ）の状況から、アプリケーションＣ２２ａが、アプリケーションＣ２２ｂ、Ｃ２２ｃ、Ｃ２２ｄの３つの要素で構成されるアプリケーションとなって表示サイズが変わり、（Ｆ）の状況となった場合の別の例の図である。
【０１１６】
図１４のように、アプリケーションのサイズが変わった際に、上方向に伸ばしてしまうと、アプリケーションの一部分が映像コンテンツに重畳されてしまうため、アプリケーションを構成している要素の並びを縦方向から横方向に並び替えると余白部分に収まることが分かった場合には、横方向に並べ変えることで、アプリケーションが余白部分内で表示されるようにしている。
【０１１７】
ここでは、縮小しなくとも余白部分に収まっているが、横方向に並べ変えても余白部分に収まらない場合には、縮小して余白部分に収めてもよい。
【０１１８】
図１６は、１６：９のアスペクト比のディスプレイで図１３のように表示されるコンテンツを、１６：１０のアスペクト比のディスプレイで、１６：９のアスペクト比の映像コンテンツＣ２３とアプリケーションＣ２４ａを表示している（Ｇ）の状況から、アプリケーションＣ２４ａが、アプリケーションＣ２４ｂ、Ｃ２４ｃ、Ｃ２４ｄの３つの要素で構成されるアプリケーションとなって表示サイズが変わったため、まず第１の要素Ｃ２４ｂを表示して（Ｈ）の状況となり、次いで、ユーザの操作や一定時間経過後に第２の要素Ｃ２４ｃを表示して（Ｉ）の状況となり、さらに、ユーザの操作や一定時間経過後に第３の要素Ｃ２４ｄを表示して（Ｊ）の状況となった場合の図である。
【０１１９】
図１５のように、アプリケーションのサイズが変わった際に、アプリケーションの要素の並びを縦方向から横方向に並び替えて余白部分に表示する場合、場合によっては縮小して表示さざるを得なくなるが、それでは過度に小さくなって見難くなってしまう場合がある。
【０１２０】
そこで、図１６では、ユーザの操作や一定時間経過を機に、次の要素を表示するようにして、それを繰り返して全ての要素を表示するようにすることで、アプリケーションが過度に小さくなって見難くなってしまうことを防いでいる。
【０１２１】
〔実施の形態３〕
図１７は、本発明の第３の実施の形態に係る映像コンテンツ装置の一例の概略構成を示すブロック図である。映像コンテンツ表示装置２００１が図１の第１の実施の形態のブロック図と異なる点は、表示制御情報解析部２０１が追加されている点である。
【０１２２】
表示制御情報解析部２０１は、レイアウト決定部１０５にて、映像画面とアプリケーション画面のレイアウトを決定する際に、事前に設定されたレイアウトに関する条件の情報を解析する部分である。
【０１２３】
その情報は、アプリケーションを記述するＨＴＭＬの構文の中に、独自拡張のタグや属性を利用して、上記情報を設定してもよいし、前述のアプリケーション制御情報に、その旨の情報を設定するようにしてもよいし、番組情報を記載するＳＩ／ＰＳＩの情報の中に、その旨の情報を設定するようにしてもよい。
【０１２４】
図４の説明において、第１の規則である、映像コンテンツのアスペクト比を保ったまま全画面表示した際に、余白部分が生じるディスプレイの場合、アプリケーション画面を余白部分に移動して表示するとの規則に従うことで、アプリケーションＣ４を、余白部分Ｐ１に移動して表示されることとなると記載した。
【０１２５】
ただし、アプリケーションによっては、勝手に表示位置を移動されると不具合が生じる場合がある。例えば、複数の出演者が表示されていて、各々の出演者に関する情報を提示するアプリケーションがあった場合には、各々の出演者の映像が表示されているそばに、出演者に関する情報を提示するアプリケーションが表示されないと、視聴者としては、どの情報が誰に関する情報であるのかが分からない。
【０１２６】
すなわち、このようなアプリケーションは余白部分に移動されると不具合が生じる一例と言える。
【０１２７】
そこで、各々のアプリケーションに、余白部分に移動して表示しても良いか否かを示す情報を付加する事で、表示装置側で、移動の可否を判定可能とすればよい。
【０１２８】
また、全てのアプリケーションに余白部分に移動して表示しても良いか否かを示す情報を付加する方法でなく、余白部分に移動可能なアプリケーションに対してのみ、余白部分に移動して表示しても良い旨の情報を付加し、表示装置側では、その情報が付加されていたアプリケーションを余白部分に移動可能と解釈し、その情報が付加されていなかったら余白部分に移動不可能と解釈するような方法であってもよい。
【０１２９】
また、その逆に、余白部分に移動不可能なアプリケーションに対してのみ、余白部分に移動することを禁止する旨の情報を付加し、表示装置側では、その情報が付加されていたアプリケーションを余白部分に移動不可能と解釈し、その情報が付加されていなかったら余白部分に移動可能と解釈するような方法であってもよい。
【０１３０】
また、余白部分がない場合にはアプリケーションを表示しない旨の情報を付加しておくことで、余白部分のない端末では表示されなくなるが、放送映像に重畳されて表示されることがなくなり、ＣＭの時にアプリケーションを重畳表示する事を防ぐ事を可能としても良い。
【０１３１】
図１８は、上述の情報に応じてレイアウトを決定する処理をフローチャートとして表した図である。
【０１３２】
Ｓ０１からＳ０４までは図２の第１の規則のフローチャートと同一の処理のため、記載を省略する。
【０１３３】
Ｓ０４の次にＳ３１に移行して、アプリケーションを余白部分への移動が可能であるかとの情報が付加されているのか否かの判定を行う。
【０１３４】
付加されていると判定した場合は、Ｓ３２に移行し、アプリケーションを余白部分に表示して、処理を終了する。
【０１３５】
付加されていないと判定した場合は、Ｓ３３に移行し、アプリケーションを通常通りに表示し、処理を終了する。
【０１３６】
アプリケーションは複数取得することがあるため、その場合は、Ｓ０３に戻って、次のアプリケーションに対する処理を行うこととなる。
【０１３７】
図１２の説明において、第３の規則である、映像コンテンツのアスペクト比を保ったまま全画面表示した際に、余白部分が生じるディスプレイの場合、アプリケーション画面が余白部分に収まるサイズの場合には、そのサイズのまま余白部分に移動して表示し、収まらないサイズの場合には、アプリケーション画面を余白部分に収まるように縮小した画面を余白部分に表示するとの規則に従うことで、アプリケーションＣ１６を縮小して、余白部分Ｐ７に移動して表示されることとなると記載した。
【０１３８】
ただし、アプリケーションによっては、縮小しすぎると見えづらくなってしまうものもある。
【０１３９】
そこで、各々のアプリケーションに、縮小表示しても良いか否かを示す情報を付加する事で、表示装置側で、縮小表示の可否を判定可能とすればよい。
【０１４０】
図１９は、上述の情報に応じてレイアウトを決定する処理をフローチャートとして表した図である。
【０１４１】
Ｓ０１からＳ０４及びＳ１１からＳ１２までは図７の第２の規則のフローチャートと同一の処理のため、記載を省略する。
【０１４２】
Ｓ１１にてアプリケーションが余白部分に収まらないと判定した場合は、Ｓ４１に移行し、アプリケーションの縮小表示が可能であるかとの情報が付加されているのか否かの判定を行う。
【０１４３】
付加されていると判定した場合は、Ｓ４２に移行し、アプリケーションを縮小して余白部分に表示して、処理を終了する。
【０１４４】
付加されていないと判定した場合は、Ｓ４３に移行し、アプリケーションを通常通りに表示し、処理を終了する。
【０１４５】
アプリケーションは複数取得することがあるため、その場合は、Ｓ０３に戻って、次のアプリケーションに対する処理を行うこととなる。
【０１４６】
また、縮小表示しても良いか否かという２値でなく、所定の縮小の程度までなら縮小しても構わないという、縮小する際の限度を示す情報であってもよい。
【０１４７】
縮小の限度は、割合で示しても良いし、ディスプレイに表示した際の実際の大きさで示しても良いし、縦方向と横方向を独立して設定できても良い。
【０１４８】
また、縮小表示しても良いか否かを示す情報の代わりに、縮小しても良いという情報を付加することとし、その情報がなかったら縮小不可能と解釈する方法でも良いし、縮小してはならないという情報を付加することとし、その情報がなかったら縮小可能と解釈する方法でも良い。
【０１４９】
〔実施の形態４〕
図２０は、本発明の第４の実施の形態に係る映像コンテンツ装置の一例の概略構成を示すブロック図である。映像コンテンツ表示装置３００１が図１の第１の実施の形態のブロック図と異なる点は、表示部１０６の代わりに、メイン画面表示部３０１とサブ画面表示部３０２が追加されている点である。
【０１５０】
メイン画面表示部３０１は、レイアウト決定部１０５にて決定した映像画面とアプリケーション画面のレイアウトの内、メイン画面に表示する画面を表示する部分である。
【０１５１】
サブ画面表示部３０２は、レイアウト決定部１０５にて決定した映像画面とアプリケーション画面のレイアウトの内、サブ画面に表示する画面を表示する部分である。
【０１５２】
これまで表示装置の画面全体を１つの画面と捉えていたが、放送映像のアスペクト比を保ったまま全画面表示を行う領域をメイン画面とし、それ以外の余白部分をサブ画面と捉えても良い。
【０１５３】
そして、ＨＴＭＬで記述されたアプリケーションを表示する機能であるブラウザをメイン画面用ブラウザとサブ画面用ブラウザとにそれぞれに設け、それぞれで独立して動作するようにしても良い。
【０１５４】
この場合、通常の１６：９で表示するアプリケーションをメイン画面用アプリケーションとし、別途設定されるそれ以外の領域に表示するアプリケーションをサブ画面用アプリケーションとして、メイン画面用アプリケーションとサブ画面用アプリケーションが通信をしながら、片方のアプリケーションの処理の結果によって、もう片方のアプリケーションの処理を行うようにしても良い。具体的には、ユーザによるサブ画面用アプリケーションの操作に応じて、メイン画面用アプリケーションの表示内容を変えたり、表示のＯＮ／ＯＦＦ制御を行ったりしても良い。
【０１５５】
また、ここまで、１つの表示装置の画面にて、放送映像のアスペクト比を保ったまま全画面表示を行う領域と、それ以外の余白部分の領域とで、各種アプリケーションを表示する方法について記載したが、１つの表示装置に複数の表示デバイスを接続し、その中の１つの表示デバイスをメイン画面表示部の出力先とし、それ以外の別の表示デバイスをサブ画面表示部の出力先としての良い。
【０１５６】
また、ケーブルなどで直接接続してある表示デバイスではなく、ネットワーク越しにペアリングを行った他の機器を表示デバイスの１つとして扱っても良い。
【０１５７】
（付記事項）
アプリケーション制御情報は、放送映像に多重して配信する場合に限定されない。例えば、アプリケーション制御情報を放送映像に多重して配信する代わりに通信経由で配信しても良いし、異なるアプリケーション制御情報の一方を放送映像に多重して配信するとともにもう一方を通信経由で配信してもよい。
【０１５８】
異なるアプリケーション制御情報の一方を放送映像に多重して配信するとともにもう一方を通信経由で配信する場合、アプリケーション情報解析部１０４は、放送経由で配信されたアプリケーション制御情報と通信経由で配信されたアプリケーション制御情報の解析を行う。具体的には、双方のアプリケーション制御情報を比較し、異なる情報である場合はいずれかの情報の選択を行い、選択結果を新たなアプリケーション制御情報とする。
【０１５９】
例えば、放送経由で配信されたアプリケーション制御情報にはアプリケーションを余白部分に移動して表示しても良い旨の情報を付加し、通信経由で配信されたアプリケーション制御情報にはアプリケーションを余白部分に移動して表示することを禁止する旨の情報を付加した場合、新たなアプリケーション制御情報として、放送経由で配信されたアプリケーション制御情報に記述されていたアプリケーションを余白部分に移動しても良い旨の情報と書き替わり、アプリケーションは放送映像の外側に表示される。
【０１６０】
なお、上記の例では、放送経由と通信経由のアプリケーション制御情報が異なる場合、放送経由のアプリケーション制御情報を選択していたが、双方のアプリケーション制御情報に基づいてアプリケーションの表示位置を制御できればよく、例えば、受信機側でいずれかのアプリケーション制御情報の選択し、アプリケーションの表示位置を制御するなど、特定の選択方法に限定されない。また、受信機側のデバイス特性を考慮し、例えば高解像度のモバイル端末において、アプリケーション画面が小さく表示されてしまう場合は、受信機の判断で該当するアプリケーションの表示サイズを拡大させて表示してもよい。
【産業上の利用可能性】
【０１６１】
本発明は、映像コンテンツとアプリケーションを表示する装置全般に利用する事が出来る。
【符号の説明】
【０１６２】
１００１…映像コンテンツ表示装置
１０１…制御部
１０２…映像コンテンツ受信部
１０３…アプリケーション取得部
１０４…アプリケーション情報解析部
１０５…表示レイアウト決定部
１０６…表示部
２００１…映像コンテンツ表示装置
２０１…表示制御情報解析部
３００１…映像コンテンツ表示装置
３０１…メイン画面表示部
３０２…サブ画面表示部
【図１】
2014208268.tif 000003
【図２】
2014208268.tif 000004
【図３】
2014208268.tif 000005
【図４】
2014208268.tif 000006
【図５】
2014208268.tif 000007
【図６】
2014208268.tif 000008
【図７】
2014208268.tif 000009
【図８】
2014208268.tif 000010
【図９】
2014208268.tif 000011
【図１０】
2014208268.tif 000012
【図１１】
2014208268.tif 000013
【図１２】
2014208268.tif 000014
【図１３】
2014208268.tif 000015
【図１４】
2014208268.tif 000016
【図１５】
2014208268.tif 000017
【図１６】
2014208268.tif 000018
【図１７】
2014208268.tif 000019
【図１８】
2014208268.tif 000020
【図１９】
2014208268.tif 000021
【図２０】
2014208268.tif 000022
【国際調査報告】
2014208268.tif 000023
2014208268.tif 000024